(57)【特許請求の範囲】
【請求項１】
バルーンの空気注入口を通すための環状部と、
該環状部に略等間隔で固定される少なくとも３本の規制糸と、を備え、
各規制糸の先端同士が接続されることによって、前記環状部下にバルーン本体を収納する収納部が形成されている
ことを特徴とするバルーンアート作成ネット。
【請求項２】
請求項１に記載のバルーンアート作成ネットと、バルーンと、当該バルーンの表面に貼付しバルーンアート作成物の表面を装飾するシール部材と、を含んでなるバルーンアート作成キット。
【請求項３】
請求項１に記載のバルーンアート作成ネットの前記収納部にバルーン本体を納めると共に前記環状部から前記バルーンの空気注入口を露出させた状態で、
前記バルーンに空気を注入し、
空気の注入により膨らんだ前記バルーン本体が、前記規制糸に当接して規制されると共に、更なる空気の注入によって当該規制糸間から前記バルーン本体を膨出させる
ことを特徴とするバルーンアートの作成方法。
【発明の詳細な説明】
【技術分野】
【０００１】
本発明は、バルーンアートの技術分野に関する。
【背景技術】
【０００２】
従来から、風船を使って様々な造形物を作成するバルーンアートが知られている。近年は、結婚式やパーティー会場といった様々なイベントにおいて、飾り付けの一環としてバルーンアートが用いられる場面も増えている状況にある。
【０００３】
バルーンアートで作成する造形物には様々なものがあるが、例えば「カボチャ」を作る場合は、従来、細長いバルーンを捻ったり折り曲げたりして作成するのが一般的である（非特許文献１を参照）。
【先行技術文献】
【非特許文献】
【０００４】
【非特許文献１】バルーンアートの作り方紹介ページ「ＩＳＯＰＲＥＳＳＯ」のウェブサイト（http://isopresso.web.fc2.com/html/pumpkin.html）
【発明の概要】
【発明が解決しようとする課題】
【０００５】
しかしながら、従来のバルーンアート作成方法でカボチャを作る場合、ある程度の作成技術を習得する必要があり、誰でもできるものではないし、更に、一部の熟練の者を除いては完成するまでに時間がかかるという問題がある。特にイベント会場などにおいて、大量にバルーンアートカボチャを作成しなければならないような場面においては、人手（作成技術を修得した者）と時間がかかるので、大幅にコストが増大するという問題もあった。
【０００６】
そこで本発明は、こういった問題点を解決するべくなされたものであって、特別な作成技術を習得する必要がなく、誰でも簡単且つ短時間でバルーンアートカボチャを作成することができる手段を提供するものである。
【課題を解決するための手段】
【０００７】
上記課題を解決するべく、本願発明は、バルーンの空気注入口を通すための環状部と、該環状部に略等間隔で固定される少なくとも３本の規制糸と、を備え、各規制糸の先端同士が接続されることによって、前記環状部下にバルーン本体を収納する収納部が形成されていることを特徴とするバルーンアート作成ネットの前記収納部にバルーン本体を納めると共に前記環状部から前記バルーンの空気注入口を露出させた状態で、前記バルーンに空気を注入し、空気の注入により膨らんだ前記バルーン本体が、前記規制糸に当接して規制されると共に、更なる空気の注入によって当該規制糸間から前記バルーン本体を膨出させることによって、バルーンアート（例えばカボチャ）を作成するというものである。
【０００８】
このように、要約すれば、「ネットの中にバルーンを入れて膨らますだけ」といった極めて簡単な操作でバルーンアートカボチャを作成することができるので、作成にあたって特別な作成技術が必要でなく、誰でも行うことができる。また、細かな最終仕上げは別として、空気を注入するだけでバルーンアートカボチャの基本的な部分は完成するので、作成までの時間を要しない。例えばイベント会場等で大量に作成が必要な場合でも、エアコンプレッサー等を利用すれば、短時間で大量のバルーンアートカボチャを容易に作り上げることが可能となる。
【０００９】
また、上記バルーンアート作成ネットと、バルーンと、当該バルーンの表面に貼付しバルーンアート作成物の表面を装飾するシール部材と、を含んでなるバルーンアート作成キットとして用意しておけば、子供でも簡単にバルーンアートカボチャを作成することができるので、例えばハロウィーンの時期などにおいて、家庭内でも手軽にバルーンアートを楽しむことが可能となる。
【発明の効果】
【００１０】
本発明を適用することで、特別な作成技術を習得する必要がなく、誰でも簡単且つ短時間でバルーンアート（カボチャ）を作成することができる。
【図面の簡単な説明】
【００１１】
【図１】本発明に係る実施形態の一例として示したバルーンアート作成ネットの概略斜視図である。
【図２】バルーンアートカボチャの作成手順を概略的に説明した図であって、（ａ）がバルーンアート作成ネット内にバルーン本体を収納した状態を示した図、（ｂ）がその後バルーンに空気を注入してバルーン本体がある程度膨らんだ状態を示した図、（ｃ）がバルーン本体の表面が規制糸に当接した状態を示した図である。
【図３】バルーンアートカボチャの作成手順を概略的に説明した図であって、（ａ）がバルーン本体の表面が規制糸に当接した状態で規制糸の位置を調整し終わった状態を示した図、（ｂ）がその後更にバルーンに空気を注入して規制糸間からバルーン本体が膨出した状態を示した図、（ｃ）が最終仕上げとしてバルーン本体表面にシール部材を貼付している状態を示した図である。
【発明を実施するための形態】
【００１２】
以下、添付図面を参照しつつ、本発明の実施形態の一例であるバルーンアート作成ネット１００及び当該ネット１００を使ったバルーンアート作成方法について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１３】
〈バルーンアート作成ネットの構成〉
図１に示しているように、本発明の実施形態の一例として示したバルーンアート作成ネット１００は、バルーンの空気注入口１１２を通すための環状部１０２と、この環状部１０２に略等間隔で固定（固定部１０３）される５本の規制糸１０４と、を備え、この５本の規制糸１０４の先端同士が接続（接続部１０５）されることによって、環状部１０２下にバルーン本体を収納する収納部が形成されるという構成となっている。
【００１４】
なお、本実施形態においては、環状部１０２も規制糸１０４も樹脂製の糸で構成されているが、綿糸（所謂たこ糸）を用いることも可能である。好ましくは、使用するバルーン表面との関係において、「滑りにくい」素材を利用するのがよい。また、環状部１０２は、本実施形態のように「糸」ではなく、リング状の硬質な部材で構成することも可能である。
【００１５】
なお、本実施形態においては、環状部１０２の直径が約２ｃｍ、規制糸１０４一本の長さが約２３ｃｍのサイズに構成され、出来上がりのバルーンアートは直径が概ね１６〜２０ｃｍの略球状の大きさである（注入する空気量によって仕上がりサイズが変化する。）。
【００１６】
〈バルーンアート作成の手順〉
以下、図２及び図３を参照しつつ、バルーンアート（ここではカボチャ）の作成手順について説明を加える。
【００１７】
最初に、図２（ａ）に示しているように、バルーンアート作成ネット１００の収納部内に、バルーン本体１１０を納めると共に、環状部１０２からバルーンの空気注入口１１２を露出させる。
【００１８】
続いて、図２（ｂ）に示しているように、空気注入口１１２から空気を注入し（空気を注入するためのポンプ等は図示していない。以下同じ。）、バルーン本体１１０を膨らませる。
【００１９】
続いて、図２（ｃ）に示しているように、バルーン本体１１０が膨らんで、規制糸１０４がバルーン本体１１０の表面に沿うような（当接した）状態となった段階で、換言すると、バルーン本体１１０が収納部と同じ程度の大きさとなった段階で、一端空気の注入を止め、規制糸１０４の間隔（図面におけるバルーン本体の経度方向）を、略等間隔となるよう図３（ａ）のように調整する。
【００２０】
続いて、図３（ｂ）に示しているように、規制糸１０４と規制糸１０４の間から、バルーン本体１１０が膨出する程度にまで空気を注入し、空気注入口１１２を縛って閉じる。膨出させる程度は、適宜変更することができるが、この膨出によって、規制糸１０４の部分がバルーン本体１１０の膨らみを規制するので、この規制によってカボチャの縦溝形状が作られることとなる。
【００２１】
なお、空気注入口１１２は、環状部１０２を通っているため、バルーンとネットにズレが生じることを効果的に防止している。
【００２２】
最後に、図３（ｃ）に示しているように、カボチャの目や口を模した形状のシール部材１２０、１２２を、膨出したバルーン本体１１０の表面に貼り付け、バルーンアートカボチャ１０が完成する。
【００２３】
このように、「ネットの中にバルーンを入れて膨らますだけ」といった極めて簡単な操作でバルーンアートカボチャを作成することができるので、作成にあたって特別な作成技術が必要でなく、誰でも行うことができる。また、細かな最終仕上げは別として、空気を注入するだけでバルーンアートカボチャの基本的な部分は完成するので、作成までの時間を要しない。例えばイベント会場等で大量に作成が必要な場合でも、エアコンプレッサー等を利用すれば、短時間で大量のバルーンアートカボチャを容易に作り上げることが可能となる。
【００２４】
〈その他の構成例〉
なお、上記では、規制糸１０４が５本の例として示しているが、この本数は特に限定されるものではない。なお、本願明細書及び特許請求の範囲の記載における規制糸１０４の本数は、固定部１０３から接続部１０５までを「一本」として表現した場合の本数であって、実際の本数と異なる場合が有り得るものである。例えば、環状部１０２から環状部１０２までを切れ目のない一本の糸で繋いだ場合であっても、規制糸１０４の本数としては２本となるのである。
【００２５】
また、上記では「カボチャ」を例に説明しているが、成果物は必ずしもカボチャに限定されるものではない。例えば、使用するバルーンの色やシール部材の色柄を変えて「スイカ」に似せたバルーンアートとするとも可能であるし、雲のようなモコモコとした雰囲気のバルーンアートとして利用することも可能である。
【００２６】
また、バルーンアートの大きさは限定されるものではない。例えばカボチャを例にすれば、直径５ｃｍ程度の小さなものから、直径２ｍを超えるような大きなサイズのものにまで同様に適用することが可能である。
【００２７】
また、上記ではバルーンに「空気」を注入しているが、ヘリウムガス等を注入すれば、空気中に浮かぶバルーンアートとして利用することも可能である。
【符号の説明】
【００２８】
１０・・・バルーンアートカボチャ
１００・・・バルーンアート作成ネット
１０２・・・環状部
１０３・・・固定部
１０４・・・規制糸
１０５・・・接続部
１１０・・・バルーン本体
１１２・・・空気注入口
１２０、１２２・・・シール部材
【要約】
【課題】
簡単な方法でバルーンアートを作成する。
【解決手段】
バルーンの空気注入口１１２を通すための環状部１０２と、環状部１０２に略等間隔で固定される少なくとも３本の規制糸１０４と、を備え、各規制糸１０４の先端同士が接続されることによって、環状部１０２下にバルーン本体１１０を収納する収納部が形成されていることを特徴とするバルーンアート作成ネット１００の収納部にバルーン本体１１０を納めると共に環状部１０２からバルーンの空気注入口１１２を露出させた状態で、バルーンに空気を注入し、空気の注入により膨らんだバルーン本体１１０が、規制糸１０４に当接して規制されると共に、更なる空気の注入によって当該規制糸間からバルーン本体１１０を膨出させてバルーンアートを作成する。
【選択図】図２【図１】
0006042952.tif 000002
【図２】
0006042952.tif 000003
【図３】
0006042952.tif 000004